(57)【要約】【課題】本発明は、これまでデジタル画像を中心とした情報の収集が、時間的・内容的に不確実・不完全な取得状況にあることを排除し、信憑性・信頼性の高い画像情報を取得する。【解決手段】情報管理センターから送信される情報収集指示と該情報収集指示に基づいて情報収集活動を実行し、デジタル画像を含む記録情報を前記情報管理センターへ返信する情報記録装置との相互緊密連携手段により確実で完全な情報取得を実現する。該情報収集指示の構成内容は、対象物件及び／又は事象の所在場所、情報収集期日のほか収集すべき情報の具体的な参照サンプルが示され、１フレーム画像ごと突合しながら情報収集を行い、収集情報を情報管理センターへ無線通信手段により報告する。送受信する情報には、情報保護措置を構ずる。【選択図】図１
2018129560.tif 000002
【特許請求の範囲】
【請求項１】
コンピュータシステムを備えた情報管理センターが、管理運用する対象物件及び／又は事象のデータベースを更新する際、必要とする情報を収集するため情報収集専任者を選定し、情報収集に必要な機能を具備した情報記録装置を携帯させ、該情報記録装置に対し無線通信手段を介して、情報収集に関する指示情報を送信することを特徴とする記録情報受渡方法。
【請求項２】
前記指示情報の構成内容は、前記対象物件及び／又は事象に関する必要情報、情報収集期日、過去の記録情報等を含むもので事前に設定した情報保護措置を構じたうえで無線通信手段を介して送信することを特徴とする記録情報受渡方法。
【請求項３】
前記指示情報に基づいて、前記情報収集専任者が前記情報記録装置を使用して収集・蓄積した報告情報を前記情報管理センターに対し無線通信手段を介して送信する際、事前に設定した情報保護措置を構じることを特徴とする記録情報受渡方法。
【請求項４】
前記情報管理センターは、前記対象物件及び／又は事象のデータベース更新処理を確実に遅帯なく実行するため、前記情報記録装置の所在位置、情報収集の進捗度を無線交信により自動的に把握し、必要に応じて残留記録情報を自動回収することを可能とせしめる記録情報受渡方法。
【請求項５】
前記情報管理センターは、受信した前記報告情報を使用して前記データベースの更新処理を実行した結果、前記報告情報の不具合や欠落が判明した場合、前記情報記録装置に再度収集指示情報を無線通信手段を介して発信し、前記情報収集専任者に再収集を行なわしめることを特徴とする記録情報受渡方法。
【請求項６】
請求項１記載の指示情報に基づき、前記情報収集専任者が必要情報を収集可能にする機能条件を充足するため、被写体を撮影しデジタル画像を取得する撮像部、前記指示情報の内容・取得したデジタル画像・操作画面等を表示する表示部、取得画像を標準化する画像処理部、指によるタッチや手書きペン入力に対応するタッチパネル部、デジタル画像等を外部と受渡するメモリーカード入出力部、外部撮像機器により撮像されたデジタル画像の取込み画像処理部、外部よりの取込み画像の改ざん検出処理部、前記情報保護措置のためのＧＰＳ情報受発信部、収集情報の信頼性を高めるためのセンサー部とセンサー情報処理部、操作者を識別するための生体センサー部・生体認証処理部、受渡情報の安全確保のための暗号化・復合化処理部と電子透かし情報処理部、外部との情報交換用に無線通信部、ＵＳＢケーブルコネクト部、外部との受渡情報・中間発生情報・システムメモリ用等の記憶部、各機能部の動作を制御するＣＰＵ、その他必要デバイスとして圧縮／伸張部・カレンダ／クロック機能部・シャッター部・操作部・電源スイッチを具備していることを特徴とする情報記録装置。
【請求項７】
請求項１記載の情報収集専任者が前記情報記録装置を操作開始する際、該情報記録装置の生体センサー部により取得された生体情報と予め該情報記録装置内に登録されている生体認証情報とが合致した場合に限り操作開始が可能となることを特徴とする情報記録装置。
【請求項８】
請求項１記載の指示情報を、前記情報記録装置の無線通信部にて受信し、暗号の復号化・電子透かし画像の可視化等情報保護措置の解除を行い、表示部にて編集・フォーマット等の処理後、ディスプレイに表示することを特徴とする情報記録装置。
【請求項９】
請求項１記載の情報収集専任者が、専属的に携帯を認められている前記情報記録装置を操作するにあたり、電源スイッチによる起動と同時に該情報記録装置を解錠するための操作指示画面がディスプレイに表示され操作者が正当に認下された情報収集専任者であるか否かを識別する処理工程を備えている情報記録装置。
【請求項１０】
前記情報収集専任者が前記指示情報に基づき、情報収集場所に到着し情報収集活動を開始する際、前記情報記録装置の表示部に表示された複数の画面領域に前記指示情報の収集サンプル画像と、該情報記録装置により現行収集中の報告情報の内容を並列表示し、左右突合しながら情報収集を実行するため、必要情報の収集漏れや収集内容の不正確性を排除することができる機能を備えた情報記録装置。
【請求項１１】
前記情報収集専任者は前記指示情報に基づき、情報収集すべき前記対象物件及び／又は事象の所在場所にて、情報収集期日までに必要情報を収集しなければならない任務を課せられており、収集情報の公的な信憑性と信頼性を保証し、また自己任務の完遂を証明するため、ＧＰＳ情報を採用して被写体撮影時に位置・時刻・高度情報、電子コンパスによる方位情報、その他各種センサーによる温度・湿度・照度・気圧等の環境情報を取得したデジタル画像に添付する機能を備えた情報記録装置。
【請求項１２】
前記表示部ディスプレイの全面にタッチインターフェース方式のタッチパネルが併設されており、該表示部ディスプレイに表示された操作画面、取得デジタル画面、指示情報画面等に指先や特定の手書きペンにてタッチすることにより、画面上において表示画像内容の取捨選択・拡大縮小・移動・回転等の単独あるいは複数組合わせた処理が可能であり、情報収集作業を効率よく、内容多彩に遂行させ得る機能を備えた情報記録装置。
【請求項１３】
前記表示部ディスプレイに、前記指示情報に基づいて取得済となっているデジタル画像や収集報告記入フォーマット画像等を下絵として表示し、併設されている前記タッチパネルと特定の手書きペンを使用して、特記事項文字、図形、計測数値等を手書き入力し、必要に応じて画面にソフトキーボードを表示してキーをタッチしてテキストコード文字入力も可能とする機能を備えた情報記録装置。
【請求項１４】
前記特定の手書きペンは、前記タッチパネル上に該特定の手書きペンの先端が接触した位置を電磁入力方式によりＸＹ座標値で取得し、接触中は一定時間サイクルごとの時系列情報として該ＸＹ座標値を記憶する機能を備えた情報記録装置。
【請求項１５】
前記メモリーカードに記録されたデジタル画像をメモリーカード入出力部を経由して取得する際、取得デジタル画像に入力処理時のＧＰＳ情報を添付することが可能な情報記録装置。
【請求項１６】
前記撮像部にて取得したデジタル画像および前記メモリーカード入出力部を経由して取得したデジタル画像に対し、該デジタル画像自体の削除、全部分または一部分の変更並びに配列順序の変更ができる機能が備えられていないことを特徴とする情報記録装置。
【請求項１７】
当該装置の起動から電源切断までの稼働の詳細記録をＧＰＳ情報準拠で前記記憶部に蓄積し、必要に応じて前記情報管理センターはその内容を出力し、使用することが可能な情報記録装置。
【発明の詳細な説明】
【技術分野】
【０００１】本発明は、データベースを管理運営する情報管理センターからのデジタル画像とテキストデータにより構成される指示に基づき、情報の収集と報告を無線通信手段を介して繰り返し緊密に受渡する方法に係り、特に収集情報の信憑性と信頼性を高めるため、改ざん検出・暗号化・電子透かし等の処理を可能とする情報記録装置に関する。
【背景技術】
【０００２】従来、デジタル画像を取得する技術としてデジタルカメラ、デジタルビデオ等があり、また取得したデジタル画像を処理する技術としてパーソナルコンピュータ等の電子機器と画像処理ソフトウェアがあり、画像取得と画像処理は別々の機器で対応されてきた。これ等の機器はそれぞれハードウェア面・ソフトウェア面の両面で長足の進歩をとげてきたが、取得デジタル画像の改ざん・紛失・盗難等の問題が発生している。これらの問題の対処策として改ざん防止、暗号化、電子透かし埋め込み技術等が開発され活用されている。
【先行技術文献】
【特許文献】
【０００３】
【特許文献１】特開２０１０−１７０３８６号公報
【発明が解決しようとする課題】
【０００４】通常、デジタル画像を含む必要情報を収集する場合、デジタルカメラによる撮像とパーソナルコンピュータによる画像処理の２工程を最低限必要とする。
デジタル画像の改ざん、紛失、盗難等はこれらの工程中若くはこれらの工程の前後と移送中において発生する可能性が高い。
【０００５】一方、必要情報の収集には、基本的な条件として収集期限が存在する。
情報収集にたずさわる者の失念や齟齬により必要情報の収集が欠落したり遅延したりすることを原因として事件・事故に繋がる危険性を内包している。
【０００６】本発明は、以上のような事態を除去・回避し信憑性・信頼性の高い必要情報を確実に取得し、安心・安全のもとに情報処理を遂行せしめることを目的とする。
【課題を解決するための手段】
【０００７】上記目的を達成するため、本発明ではデータベースを管理運営する情報管理センターと該情報管理センターの指導教育を受けた情報収集専任者との間で交換される情報収集指示と情報収集報告を両者が緊密・確実に実行せざるを得ない仕組を構築し、その仕組を継続的に活用することにより実現することができる。
【０００８】仕組の基本的な要素として相互に交換する情報の内容が正確・精緻であり人為的な操作が加えられていないということが重要である。それを可能とするための施策として、指示・報告の両情報に共通して日時・場所・高度はＧＰＳ情報に裏付された公証性のある情報が自動的に添付され、さらに予め設定された収集期日をキーポイントとして接近予告・警告・未達督促などのサポート能力を備えた光学電子機器である情報記録装置を情報収集専任者に携帯させ自動的な制御のもとに情報収集活動を行なわしめる。
【０００９】また、情報収集報告の内容をさらに確実で充分なものに仕上げるために、情報収集指示の構成内容には具体的な過去の収集情報を１フレーム単位に記録されており、受取った情報収集専任者は情報記録装置上で収集すべき情報を１フレーム毎に確認・突合を繰り返しながら収録する。
【００１０】情報収集指示と情報収集報告における情報移動は無線通信手段によるが、情報の漏洩・改ざん・盗難等の事故に備えるため、送信前には情報の暗号化・電子透かしの埋め込み処理を行う。
【００１１】なお、情報記録装置には手書き入力ペンが備えられており、撮像されたデジタル画像を表示部に表示し、情報収集専任者が画面の必要箇所に該手書き入力ペンにより文字や図形を書き込み、収集情報の内容充実・確実化を向上させている。この書き込んだ筆跡情報にもＧＰＳ情報を添付することにより信憑性・信頼性を確実化している。
【発明の効果】
【００１２】多種多様な情報が満溢している現代において、信憑性・信頼性が保証される情報は極めて大切である。本発明により各種分野における情報処理に的確な情報が確実に提供されることになり、情報化社会の浄化が進行する。ＩＯＴ（モノのインターネット）の普及と相俟ってビッグデータ構築の重要な担い手となり、将来ＡＩ（人工知能）処理にも活用されることも充分可能性はある。
【００１３】本発明の仕組によれば、情報管理センターと情報記録装置との間で緊密で確実な情報交換により情報収集活動が効率よく確実に収集内容も齟齬のないものを取得することができる。
【００１４】本発明の構成によれば、収集情報の公証性を確保するため、ＧＰＳを利用して位置情報・時刻情報・高度情報を取得し、また電子コンパスにより方位情報を取得し、撮像したデジタル画像に１フレーム毎に添付することにより収集情報の信憑性・信頼性を高めることができる。
【００１５】本発明の構成によれば、手書き入力ペンの使用により、取得デジタル画像の表面に撮像時の観測状況や計測数値等を多色で書き込みを行い伝達内容の的確化・充実化を計ることができる。
【００１６】本発明の構成によれば、表示部にはタッチパネルが併設されており、タッチインターフェース方式で操作画面や取得画像面に対し指先でタップ・フリック・ピンチ等の操作を可能としており、特別な操作技術を要せず取扱いの容易性がある。
【００１７】本発明の構成によれば、情報記録装置には、重要な機密情報に属する内容を保存していることもあり、情報管理センターから予め任命された情報収集専任者のみの操作が許下されており、当該者以外の者が操作できないよう生体認証手法による施錠があり情報保護されている。
【図面の簡単な説明】
【００１８】
【図１】本発明の記録情報受渡方法の仕組を示す概要図である。
【図２】本発明の情報収集指示（又は報告）情報の構成を示す概要図である。
【図３】本発明の情報記録装置内に設定する基本情報の構成を示す概要図である。
【図４】本発明の情報記録装置の内部構成の制御系を示すブロック図である。
【図５】本発明の情報記録装置の外観を示す斜視図である。
【図６】本発明の情報記録装置の表示部に表示される情報収集指示と情報収集報告との対比突合状態を示す画面略図である。
【発明を実施するための形態】
【００１９】以下に本発明の一実施形態を、図面を参照しながら説明する。なお、ここで示す実施形態は一例であり、本発明はここに示す実施形態に限定されるものではない。
【００２０】図１は、本実施の形態に係る記録情報受渡方法の仕組の概要を示したものである。情報管理センター１００はコンピュータシステム１１０を備え、管理すべき対象物件及び／又は事象に関するデータベース１２０の更新処理を行っている。更新処理に必要な情報は種々のオンライン端末９０１又はオフライン端末９０２にて提供されている。特に最近はＩＯＴ（Ｉｎｔｅｒｎｅｔ  ｏｆ  Ｔｈｉｎｇｓ）端末８００によるセンサー経由の情報収集が即時性・継続性客観性の面で却光を浴びている。
【００２１】しかし、データベース１２０の更新のために必要とする情報は多種多様にわたっており、人手によらなくては収集できない情報も多数存在し、永久に無くなる見込みはない。又、人手を介する情報収集には不確実性と不完全性を伴う事実も否めない。
【００２２】この様な未解決問題が山積する状況下において、更新情報を必要とする情報管理センター１００と必要とする更新情報を収集可能とする情報記録装置２００との情報交換を、緊密・確実に繰り返し実行することにより問題解決の可能性を高める。
【００２３】コンピュータシステム１１０には対象物件及び／又は事象ファイル１２１、情報収集専任者ファイル１２２、情報記録装置ファイル１２３がデータベース１２０の一部として常時管理更新されている。
【００２４】また、情報管理センター１００は事前にコンピュータシステム１１０を使用して、管理すべく対象物件及び／又は事象の数量的・地域的分散度及び情報収集の時間的集散度等により、情報収集専任者及び情報記録装置２００の数量的配置・収集作業日程等を策定しておくことが前提条件となる。
【００２５】情報管理センター１００から情報記録装置２００へは情報収集指示情報が、情報記録装置２００から情報管理センター１００へは情報収集報告情報が、いずれも無線通信手段を介して送受信される。
【００２６】情報管理センター１００と情報記録装置２００との交換情報は、それぞれ送信直前に暗号化・電子透かし埋め込み処理を行い、それぞれが受信直後に復号化・電子透かし埋め込み情報の除去処理を行う。
【００２７】情報管理センター１００は、ＧＰＳ情報を利用して各々の情報記録装置２００の所在位置を把握すると共に、無線通信により情報収集活動の進捗状況を監視・点検し、状況次第で収集作業の督促をしたり収集済情報の自動回収を行う。
【００２８】情報管理センター１００において、特定の対象物件及び／又は事象に関し緊急又は臨時に情報収集を行う必要が生じた場合、近在の情報記録装置２００に対し緊急サイン又は臨時サインを付した新たな情報収集指示を送信することができる。
【００２９】情報管理センター１００から情報収集指示を受信した情報記録装置２００と該情報記録装置２００を操作する情報収集専任者は、情報収集指示の内容に基づき情報収集活動を行い情報収集報告を指示された収集期日までに情報管理センター１００に送信する。
【００３０】情報記録装置２００の記憶部２７１には、情報管理センター１００から送信された情報収集指示情報が処理状況に応じて４段階のレベルに分類され格納されており、収集作業の進行に従って更新される。即ち、レベル１は未着手、レベル２は準備中、レベル３は作業進行中、レベル４は作業終了の４段階である。各レベルの該当件数は、対象物件及び／又は事象別にフレーム数が管理・計算され表示部２４１の画面に表示される。
【００３１】さらに、別の画面では前記レベル毎に情報収集の緊急サイン別処理状況を表示し、情報収集の欠落・遅延を防止する。該緊急サインは情報収集期日を基準として３段階に分類し、第１段階は１日以内（赤色表記）、第２段階は３日以内（黄色表記）、第３段階は７日以内（緑色表記）とし、該当する対象物件及び／又は事象の名称、管理番号、所在場所、情報収集期日、収集フレーム数を表示する。
【００３２】情報記録装置２００から情報管理センター１００に対し、情報収集指示を受けている指示の内容に関し質問、変更相談、提案等の照会を送信し、情報管理センター１００から回答を受信することができる。
【００３３】図２は、情報管理センター１００から情報記録装置２００に対し送信する情報収集指示と、情報記録装置２００から情報管理センター１００に送信する情報収集報告との構成内容を示したものである。大別してヘッダー情報とヘッダー情報に従属する収集フレーム情報の２種類から構成されており、ヘッダー情報１に対し収集フレーム情報は１以上の複数が連結している。
【００３４】ヘッダー情報は、情報管理センター１００で管理されている対象物件及び／又は事象の１件ごとに対応して存在しており、個別の管理番号が付与されている。この管理番号をキーにして更新処理が行なわれる。ヘッダー情報にも管理用一連ＮＯが付されている。
【００３５】ヘッダー情報には、最重要項目として情報収集期日が設定されており、この期日を基準にして情報管理センター１００では管理している対象物件及び／又は事象の点検・観測・計測等が設定期日までに確実に実行されたか否かを把握することができる。
【００３６】ヘッダー情報には、緊急・臨時サインを示す項目があり、情報管理センター１００が一旦情報収集指示を送信した後に緊急又は臨時に情報収集を実施しなければならない事情が発生した場合、情報収集の対象物件及び／又は事象が所在する場所の最寄りの情報記録装置２００に新たに情報収集指示を送信し、割り込み優先処理を実施させ得るものである。
【００３７】収集フレーム情報は、収集を必要とする対象物件及び／又は事象の現状を撮像したデジタル画像とその画像の上に情報収集専任者が手書きペンで書き込んだコメント文字列や説明図形が１フレーム単位にレイヤー別に、又は積層状態で記録されたものであり、さらに必要な場合は観測データ・計測データ等も予め設定されたフォーマット画面に手書きペン又はソフトキーボードで入力されたものもある。
【００３８】収集フレーム情報には、情報収集専任者が必要情報を収集記録する際、より確実で適切な情報を取得するため参照サンプルフレームを用意している。
収集対象物件及び／又は事象が新規収集か再録収集かにより情報収集指示情報の参照サンプルの内容が異なる。新規収集の場合は、情報管理センター１００で必要とする情報に近似した物件及び／又は事象のサンプル画像もしくは文面にて参照サンプルフレームを用意する。一方再録収集の場合には、過去に収集した同一物件及び／又は事象の参照サンプルフレームを用意する。新たな内容の参照サンプルフレームが必要な場合には、追加・変更は当然可能である。
【００３９】再録収集の場合は、用意された過去の参照サンプルフレームには、１フレーム毎に当該情報収集時のＧＰＳによる場所・日時・高度情報が、また各種センサーによる気温・湿度・照度・方位情報が添付され、情報収集活動の参考に供している。
【００４０】図３は、情報記録装置２００内に保持している情報の内容である。当該機器個有の属性情報と情報収集活動に関するフレーム情報に大別される。
機器属性情報は、当該機器自体を管理するために必要な情報であり、当該機器を操作する情報収集専任者に関する情報も設定されている。
特に生体認証情報は、当該機器を操作する者が正当に認定された人物であるか否かを識別するために設定されている。生体認証の手法としては、指紋あるいは手の平静脈を利用するものがある。
【００４１】通信アドレスは、無線通信のための識別番号でありＭＡＣアドレスが充当される。
また、発信コードは情報管理センター１００が情報記録装置２００の所在位置確認をするためのサーチキーとなっている。発信信号は一定の時間間隔で発信されている。
【００４２】フレーム情報は、情報収集指示情報と情報収集報告情報とにより構成されており、内容的には図２における説明に準ずるものであり、ここでは省略する。ただ新しい項目として報告済フラグ欄が追加されており、情報管理センター１００への報告済フレームか未報告フレームかの区別をするためのフラグが設定される。
【００４３】図４は、情報記録装置２００の内部の制御系ブロック図である。各デバイスには制御部が付属しておりバス２０５を経由してＣＰＵ２０１からの制御信号により各デバイスの動作が制御されている。
【００４４】情報収集専任者が情報収集活動を開始するにあたり、電源スイッチ２０３をＯＮにし情報記録装置２００を解錠する事前操作が必要で生体認証の手続を行う。該情報記録装置２００を操作する情報収集専任者は、自己の生体の一部（指先・手の平など）を生体センサー部２５１にかざすことにより画像として読み込まれ、生体認証処理部２５２において予め登録されている生体画像と比較検証後に識別され解錠または否解錠と判定される。
【００４５】情報記録装置２００には、撮像部２１１が配設されており、レンズを通して入射した光をＣＭＯＳ等の撮像素子により光電変換した後、画像処理部２１２でノイズ低減や色処理等を行いデジタル画像を取得する。
【００４６】デジタル画像取得と同時に、ＧＰＳ情報受発信部２２１にて受信した位置・時刻情報とセンサー部２２２で取得した環境情報を取得デジタル画像個々に添付する。位置情報には、撮影場所の緯度・経度・高度が、時刻情報には、撮影時の年月日、時分秒が記録される。また、環境情報には、撮影場所・時刻での気温・湿度・照度・気圧が、さらに撮影方位も記録される。センサー部２２２にて取得された各種１次計測数値はセンサー情報処理部２２３において計算・変換されて出力される。
【００４７】情報記録装置２００の解錠後、表示部（有機ＥＬディスプレイ）２４１に操作初期画面が表示され、当該情報記録装置２００の現時状態（バッテリー・メモリーの残量、ＧＰＳ・センサーの感度等）、情報管理センター１００から送信されている情報収集指示の総括、処理レベル別・緊急度別のフレーム件数等も一覧的に表示される。
【００４８】表示部２４１の背面にタッチパネル部２４３が併設されており、表示部２４１の表面からの指または手書きペンの接触により電気的変化を検知して接触位置情報を把握することができる。この接触位置情報を使用して表示画面に対し選択・拡大・縮小・回転・移動等を行うと共に、手書きペンによる文字・図形等を色彩・線種を使い分けながら書き込みを行う。また、操作画面でも操作ボタンやエリアをタッチすることにより操作部２４２において予め設定しているプログラムが働き制御や処理が実行される。
【００４９】メモリーカード入出力部２８１は、当該情報記録装置２００では取得できないデジタル画像が必要な場合、その必要性を満たす別の撮像機器（望遠、広角、接写、水中、空中等の特殊写真機種）で取得したデジタル画像をメモリーカードを媒体として、当該情報記録装置２００に取り入れたり、また逆に当該情報記録装置２００で処理保存しているデジタル画像等をメモリーカードを介して出力する場合のデバイスである。
【００５０】ＵＳＢケーブルコネクト部２８２は、当該情報記録装置２００と外部のパーソナルコンピュータやサーバーとデジタル画像等の受渡を直接ＵＳＢケーブルを通して行うためのコネクトデバイスである。
【００５１】圧縮／伸張部２８３は、メモリーカード入出力部２８１、ＵＳＢケーブルコネクト部２８２及び無線通信部２９１を経由して当該情報記録装置２００に取り込まれたデジタル画像を検査して圧縮形式を特定し伸張復元を行う。また逆に当該情報記録装置２００から情報管理センター１００等外部へ出力する場合は、圧縮／伸張部２８３で予め設定された圧縮形式で出力する。
【００５２】取込み画像処理部２８４は、メモリーカード入出力部２８１、ＵＳＢケーブルコネクト部２８２を経由して当該情報記録装置２００に取り込まれたデジタル画像を含むファイルに関し、ファイル形式、画像形式等につき検査し、取り扱い可能か否かを区別する。取り扱い可能ファイルにつき標準化変換を行い標準化ファイルを生成し後処理に引継ぐ。
【００５３】記憶部には、システムメモリーとしてＲＡＭやＲＯＭで構成されたメモリーがあり、情報管理センター１００から受信した情報収集指示情報や当該情報記録装置２００の撮像部２１１から取得した情報収集報告情報、さらに中間的に発生し記憶保存を必要とする諸々のデータ等を格納している。
【００５４】カレンダ／クロック機能部２６１は、当該情報記録装置２００の内部コントロール用に使用されるもので、ＧＰＳ位置・時刻情報の取得や発信にも使われる。
【００５５】収集情報の指示または報告にあたり送受信する際、あるいはメモリカード入出力部２８１またはＵＳＢケーブルコネクト部２８２で入出力する際に受渡情報の安全・保護のため暗号化・復号化処理部２３２および電子透かし情報処理部２３３が設置されている。このらの処理に関する手法はＲＣ５、ＤＥＳ、ＡＥＳなど種々発表されているが受渡情報の中に含まれている固有の数値・記号などを取り込んで設定する方法がよく、事前に受渡双方間でルール化しておけばよい。
【００５６】改ざん検出処理部２３１は、メモリーカード入出力部２８１またはＵＳＢケーブルコネクト部２８２を介して受取ったデジタル画像につき、改ざんされているか否かを検査し改ざんされている場合は改ざん箇所を特定する。改ざん検出の手法は、ノイズ特性・画素値特性などを利用したものが種々存在するが、当該情報記録装置２００では取込み画像処理部２８４にて生成された標準化ファイルを焦点波分析、収差分析、ＲＧＢフィルターパターン分析の３ステップの検出プロセスにより改ざんの有無を特定する。
【００５７】無線通信部２９１は、情報管理センター１００と情報記録装置２００との間において、情報収集指示および情報収集報告の送受信を無線にて１対１の関係で交信する。無線通信部２９１には、無線ＬＡＮ子機の機能を内蔵しインターネットを経由して送信する方式をとる。
【００５８】図５は、情報記録装置２００の外観斜視図である。全体の外寸はＡ４サイズ大で厚みは２．０ｃｍ前後を見込んでいる。（Ａ）は表面図で撮像レンズとストロボが、上部にはＧＰＳ情報受発信部２２１、無線通信部２９１センサー部２２２が配設されている。（Ｂ）は裏面図で表示部２４１がほぼ全面を占めている。表示部２４１（有機ＥＬディスプレイ）の内側全面にタッチパネル部２４３が併設されている。表示部２４１とタッチパネル部２４３とはその周囲を強化金属枠で補強され破損しないようにしている。その他の外部筐体は炭素繊維または新素材の「セルロースナノファイバー（ＣＮＦ）」を使用して軽くて丈夫なものにするのがよい。
【００５９】タッチパネル部２４３は、静電容量方式と電磁誘導方式を組み合せた形態をとり、手書きペン２４４はタッチパネル部２４３表面に接触した時、ペン先に磁力を発生させ、タッチパネル部２４３は磁力を検知して位置を検出する。
【００６０】シャッター部２１３は、二段階押込式ボタンとなっており、一段階押込みにより撮像部２１１から被写体画像が取り込まれ表示部２４１に表示される。被写体の構図が定まった時点で二段階押込みを行いシャッターを切りデジタル画像を取得する。（Ａ）（Ｂ）上部に位置を表示。
【００６１】（Ｃ）は、底面のデバイス配置図で裏面が上になっている。左サイドからＵＳＢコネクト部２８２、ＡＣアダプター２９４（充電用）、バッテリー（リチュウムイオン、板状）交換口２９３、メモリーカード入出力部２８１、電源スイッチ２０３、ペン収納部２４５が配置されている。
【００６２】図６は表示部２４１に情報収集指示と情報収集報告の各情報内容をフレーム単位に並列的に表示した画面であり、左側に指示情報を、右側に報告情報を配置する。１フレームを１枠として片側３枠づつ表示し全体で６枠表示する。枠の大きさは全部同一サイズとし、左側と右側の列が上下に別々に移動し左右の枠が揃って停止する。３枠の表示内容は、上枠が一つ前のフレーム、中枠が現在のフレーム、下枠が後のフレームとなっている。右側の中枠に現在撮像しようとする被写体画像が表示される。通常カメラのファインダーの役目を果す。
【００６３】情報収集活動の開始時、左側の収集指示画面に３枠の収集サンプル画像が表示される。各枠左上にフレームＮｏ．の表示欄がありフレームＮｏ．順に収集サンプル画像が配列されている。フレームＮｏ．の設定は、情報管理センター１００で予め決められたルールに従って付番される。ヘッダー情報にある物件／事象管理番号と連結してユニークな番号となり、各フレームの終生管理Ｎｏ．となる。
【００６４】収集指示画面の第１フレームは、ヘッダー情報画面であり、図２記載の項目が表示される。このフレーム画面には、上部の位置・時刻・方位情報および下部の撮影環境情報は表示されない。
【００６５】収集指示画面の第２フレーム以降は、次のヘッダー情報が現われるまで収集フレーム情報画像が連続表示される。収集フレーム情報には各フレーム画面ごとに上部の位置・時刻・方位がＧＰＳ情報から、下部の温度・湿度・照度・気圧が各センサー情報から取得・計算し表示されている。
いずれもサンプル情報が収集された時点での過去情報である。
【００６６】右側収集報告画面の第１フレームは、枠線・項目名以外はブランクとなっており、左側収集指示画面よりヘッダー情報を複写移動させ収集報告のヘッダー情報を生成する。
【００６７】収集指示画面の第２フレームに表示されている収集サンプル画像に対応している収集報告画像を取得するため、ヘッダー情報に表示されている所在場所に行き、収集サンプル画像と同じ物件／事象を見つけ収集サンプル画像を撮影した同じ位置に立ち、情報記録装置２００を被写体に向け、右側中枠に表示された被写体の構図と左側中枠の指示サンプル画像の構図とを突合し確認のうえ、シャッター部２１３を深押し（２段階目）し、撮像する。
収集報告画像のフレームごとの構図を調整している段階では、シャッター部は浅押し（１段階目）状態のままである。
【００６８】シャッター部２１３を深押しした時点での位置・時刻・方位・気温・湿度・照度・気圧の各情報が取得され、収集報告画像の各フレームに添付される。
【００６９】収集報告画像のフレームは、情報収集専任者の状況判断により追加収集することができる。収況判断の基準は予め情報管理センター１００にて規定されている。
【００７０】収集報告画像のフレームには、フレームＮｏ．が表示されているが、追加フレームが発生したときは、収集指示画像のフレームＮｏ．の後尾に枝番を付し管理番号とする。
【００７１】ヘッダー情報のフレームＮｏ．欄には、ヘッダー情報であることを示すＨとヘッダー情報を管理する一連Ｎｏ．がハイフン区切りで表示される。
【００７２】方位表示欄は、情報記録装置２００の撮像部２１１が被写体に向いている方向を矢印で示すもので上位が北（Ｎ）である。
【図１】
2018129560.tif 000003
【図２】
2018129560.tif 000004
【図３】
2018129560.tif 000005
【図４】
2018129560.tif 000006
【図５】
2018129560.tif 000007
【図６】
2018129560.tif 000008
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
コンピュータシステムを備えた情報管理センターが、管理運用する対象物件及び／又は事象のデータベースを更新するために、必要とする情報を収集するにあたり、情報収集に必要な機能を具備した情報記録装置に対し無線通信手段を介して、情報収集に関する指示情報を送信し、該指示情報を受信した該情報記録装置により該指示情報に基づく情報収集と蓄積が為され報告情報として無線通信手段を介して該情報管理センターへ送信することを特徴とする記録情報受渡方法。
【請求項２】
前記指示情報の構成内容は、前記対象物件及び／又は事象に関する必要情報、情報収集期日、過去の記録情報等を含むもので事前に設定した情報保護措置を構じたうえで無線通信手段を介して前記情報記録装置に送信することを特徴とする請求項１記載の記録情報受渡方法。
【請求項３】
前記指示情報に基づいて、前記情報記録装置により収集・蓄積した報告情報を前記情報管理センターに対し無線通信手段を介して送信するが、その際、事前に設定した情報保護措置を構じることを特徴とする請求項１記載の記録情報受渡方法。
【請求項４】
前記情報管理センターは、前記対象物件及び／又は事象のデータベース更新処理を確実に遅滞なく実行するため、前記情報記録装置の所在位置、情報収集の進捗度を前記情報記録装置との無線交信により自動的に把握し、必要に応じて残留記録情報を自動回収することを可能とせしめる請求項１記載の記録情報受渡方法。
【請求項５】
前記情報管理センターは、受信した前記報告情報を使用して前記データベースの更新処理を実行した結果、前記報告情報の不具合や欠落が判明した場合、前記情報記録装置に再度収集指示情報を無線通信手段を介して発信し、必要とする情報の再収集を行なわしめることを特徴とする請求項１記載の記録情報受渡方法。
【請求項６】
請求項１記載の指示情報に基づき、必要情報を収集可能にする機能条件を充足するため、被写体を撮影しデジタル画像を取得する撮像部、前記指示情報の内容・取得したデジタル画像・操作画面等を表示する表示部、取得画像を標準化する画像処理部、指によるタッチや手書きペン入力に対応するタッチパネル部、デジタル画像等を外部と受渡するメモリーカード入出力部、外部撮像機器により撮像されたデジタル画像の取込み画像処理部、外部よりの取込み画像の改ざん検出処理部、前記情報保護措置のためのＧＰＳ情報受発信部、収集情報の信頼性を高めるためのセンサー部とセンサー情報処理部、操作者を識別するための生体センサー部・生体認証処理部、受渡情報の安全確保のための暗号化・復号化処理部と電子透かし情報処理部、外部との情報交換用に無線通信部、ＵＳＢケーブルコネクト部、外部との受渡情報・中間発生情報・システムメモリ用等の記憶部、各機能部の動作を制御するＣＰＵ、その他必要デバイスとして圧縮／伸張部・カレンダ／クロック機能部・シャッター部・操作部・電源スイッチを具備していることを特徴とする情報記録装置。
【請求項７】
情報収集を行う操作者が前記情報記録装置を操作開始する際、該情報記録装置の生体センサー部により取得された生体情報と予め該情報記録装置内に登録されている操作者の生体認証情報とが合致した場合に限り操作開始が可能となることを特徴とする請求項６記載の情報記録装置。
【請求項８】
前記指示情報を、前記情報記録装置の無線通信部にて受信し、暗号の復号化・電子透かし画像の可視化等情報保護措置の解除を行い、表示部にて編集・フォーマット化等の処理後、ディスプレイに表示することを特徴とする請求項６記載の情報記録装置。
【請求項９】
前記情報記録装置を操作するにあたり、電源スイッチによる起動と同時に該情報記録装置を解錠するための操作指示画面がディスプレイに自動表示され操作者が正当に認下された当事者であるか否かを識別する処理工程を備えている請求項６記載の情報記録装置。
【請求項１０】
前記指示情報に基づき、情報収集活動を開始する際、前記情報記録装置の表示部に表示された複数の画面領域に前記指示情報の収集サンプル画像と、該情報記録装置により現行収集中の報告情報の内容を並列表示し、左右突合しながら情報収集を実行するため、必要情報の収集漏れや収集内容の不正確性を排除することができる機能を備えた請求項６記載の情報記録装置。
【請求項１１】
前記指示情報に基づき、情報収集すべき前記対象物件及び／又は事象の所在場所にて、情報収集期日までに必要情報を収集・蓄積すると同時に収集情報の公的な信憑性と信頼性を保証し、更に自己任務の完遂をも証明するため、ＧＰＳ情報を採用して被写体撮影時に位置・時刻・高度情報を、電子コンパスによる方位情報を、その他各種センサーによる温度・湿度・照度・気圧等の環境情報を取得したデジタル画像に添付する機能を備えた請求項６記載の情報記録装置。
【請求項１２】
前記表示部ディスプレイの全面にタッチインターフェース方式のタッチパネルが併設されており、該表示部ディスプレイに表示された操作画面、取得デジタル画面、指示情報画面等に指先や特定の手書きペンにてタッチすることにより、画面上において表示画像内容の取捨選択・拡大縮小・移動・回転等の単独あるいは複数組合わせた処理が可能であり、情報収集作業を効率よく、内容多彩に遂行させ得る機能を備えた請求項６記載の情報記録装置。
【請求項１３】
前記表示部ディスプレイに、前記指示情報に基づいて取得済となっているデジタル画像や収集報告記入フォーマット画像等を下絵として表示し、併設されている前タッチパネルと特定の手書きペンを使用して、種々の色彩や線種による特記事項文字、図形、計測数値等を手書き入力し、必要に応じて画面にソフトキーボードを表示してキーをタッチすることによりテキストコード文字入力も可能とする機能を備えた請求項６記載の情報記録装置。
【請求項１４】
前記特定の手書きペンは、前記タッチパネル上に該特定の手書きペンの先端が接触した位置を電磁入力方式によりＸＹ座標値で取得し、接触中は一定時間サイクルごとの時系列情報として該ＸＹ座標値を記憶する機能を備えた請求項６記載の情報記録装置。
【請求項１５】
前記メモリーカードに記録されたデジタル画像をメモリーカード入出力部を経由して取得する際、取得デジタル画像に入力処理時のＧＰＳ情報を添付することが可能な請求項６記載の情報記録装置。
【請求項１６】
前記撮像部にて取得したデジタル画像及び前記メモリーカード入出力部を経由して取得したデジタル画像に対し、該デジタル画像自体の削除、全部分または一部分の変更並びに配列順序の変更ができる機能が備えられていないことを特徴とする請求項６記載の情報記録装置。
【請求項１７】
当該情報記録装置の起動から電源切断までの稼働の詳細記録をＧＰＳ情報準拠で前記記憶部に蓄積し、必要に応じて前記情報管理センターはその内容を出力し、使用することが可能な請求項６記載の情報記録装置。
【手続補正２】
【補正対象書類名】明細書
【補正対象項目名】０００７
【補正方法】変更
【補正の内容】
【０００７】上記目的を達成するため、本発明ではデータベースを管理運営する情報管理センターと必要情報を収集するための機能を備えた情報記録装置との間で交換される情報収集指示と情報収集報告を両者が緊密・確実に実行せざるを得ない仕組を構築し、その仕組を継続的に活用することにより実現することができる。
【手続補正３】
【補正対象書類名】明細書
【補正対象項目名】０００８
【補正方法】変更
【補正の内容】
【０００８】仕組の基本的な要素として前記両者間において相互に交換する情報の内容が正確・精緻であり人為的な操作が加えられていないということが重要である。それを可能とするための施策として、指示・報告の両情報に共通して日時・場所・高度はＧＰＳ情報に裏付された公証性のある情報を自動的に添付する。さらに予め設定された収集期日をキーポイントとして接近予告・警告・未達督促などのサポート能力を備えた光学電子機器である情報記録装置を情報収集端末として情報管理センターによる自動的な制御のもとに情報収集活動を行なわしめる。
【手続補正４】
【補正対象書類名】明細書
【補正対象項目名】０００９
【補正方法】変更
【補正の内容】
【０００９】また、情報収集報告の内容をさらに確実で充分なものに仕上げるために、情報収集指示の構成内容には具体的な過去の収集情報を１フレーム単位に記録されており、情報収集作業を実行する際には情報記録装置上で収集すべき情報を１フレーム毎に確認・突合を繰り返しながら収録する。
【手続補正５】
【補正対象書類名】明細書
【補正対象項目名】００１１
【補正方法】変更
【補正の内容】
【００１１】なお、情報記録装置には手書き入力ペンが備えられており、撮像されたデジタル画像を表示部に表示し、画面の必要箇所に該手続き入力ペンにより文字や図形を書き込み、収集情報の内容充実・確実化を向上させている。この書き込んだ筆跡情報にもＧＰＳ情報を添付することにより信憑性・信頼性を確実化している。
【手続補正６】
【補正対象書類名】明細書
【補正対象項目名】００１３
【補正方法】変更
【補正の内容】
【００１３】本発明の仕組によれば、情報管理センターと情報記録装置との間で緊密で確実な情報交換をすることにより、情報収集活動が効率よく確実に、また収集内容も齟齬のないものを取得することができる。
【手続補正７】
【補正対象書類名】明細書
【補正対象項目名】００１５
【補正方法】変更
【補正の内容】
【００１５】本発明の構成によれば、手書き入力ペンの使用により、取得デジタル画像の表面に撮像時の観測状況や計測数値等を色彩・線種を使い分けながら書き込みを行い伝達内容の的確化・充実化を計ることができる。
【手続補正８】
【補正対象書類名】明細書
【補正対象項目名】００１７
【補正方法】変更
【補正の内容】
【００１７】本発明の構成によれば、情報記録装置には、重要な機密情報に属する内容を保存していることもあり、情報管理センターから予め任命された操作者以外の者が操作できないよう生体認証手法による施錠があり情報保護されている。
【手続補正９】
【補正対象書類名】明細書
【補正対象項目名】００２０
【補正方法】変更
【補正の内容】
【００２０】図１は、本実施の形態に係る記録情報受渡方法の仕組の概要を示したものである。情報管理センター１００はコンピュータシステム１１０を備え、管理すべき対象物件及び／又は事象に関するデータベース１２０の更新処理を行っている。更新処理に必要な情報は種々のオンライン端末９０１又はオフライン端末９０２にて提供されている。特に最近はＩＯＴ（Ｉｎｔｅｒｎｅｔ  ｏｆ  Ｔｈｉｎｇｓ）端末８００によるセンサー経由の情報収集が即時性・継続性及び客観性の面で却光を浴びている。
【手続補正１０】
【補正対象書類名】明細書
【補正対象項目名】００２３
【補正方法】変更
【補正の内容】
【００２３】コンピュータシステム１１０には対象物件及び／又は事象ファイル１２１、操作者ファイル１２２、情報記録装置ファイル１２３がデータベース１２０の一部として常時管理更新されている。
【手続補正１１】
【補正対象書類名】明細書
【補正対象項目名】００２４
【補正方法】変更
【補正の内容】
【００２４】また、情報管理センター１００は事前にコンピュータシステム１１０を使用して、管理すべく対象物件及び／又は事象の数量的・地域的分散度及び情報収集の時間的集散度等により、操作者及び情報記録装置２００の数量的配置・収集作業日程等を策定しておくことが前提条件となる。
【手続補正１２】
【補正対象書類名】明細書
【補正対象項目名】００２９
【補正方法】変更
【補正の内容】
【００２９】情報管理センター１００から情報収集指示を受信した情報記録装置２００と該情報記録装置２００を操作する操作者は、情報収集指示の内容に基づき情報収集活動を行い、情報収集報告を指示された収集期日までに情報管理センター１００に送信する。
【手続補正１３】
【補正対象書類名】明細書
【補正対象項目名】００３７
【補正方法】変更
【補正の内容】
【００３７】収集フレーム情報は、収集を必要とする対象物件及び／又は事象の現状を撮像したデジタル画像とその画像の上に操作者が手書きペンで書き込んだコメント文字列や説明図形が１フレーム単位にレイヤー別に、又は積層状態で記録されたものであり、さらに必要な場合は観測データ・計測データ等も予め設定されたフォーマット画面に手書きペン又はソフトキーボードで入力されたものもある。
【手続補正１４】
【補正対象書類名】明細書
【補正対象項目名】００３８
【補正方法】変更
【補正の内容】
【００３８】収集フレーム情報には、操作者が必要情報を収集記録する際、より確実で適切な情報を取得するため参照サンプルフレームを用意している。
収集対象物件及び／又は事象が新規収集か再録収集かにより情報収集指示情報の参照サンプルの内容が異なる。新規収集の場合は、情報管理センター１００で必要とする情報に近似した物件及び／又は事象のサンプル画像もしくは文面にて参照サンプルフレームを用意する。
一方再録収集の場合には、過去に収集した同一物件及び／又は事象の参照サンプルフレームを用意する。新たな内容の参照サンプルフレームが必要な場合には、追加・変更は当然可能である。
【手続補正１５】
【補正対象書類名】明細書
【補正対象項目名】００４０
【補正方法】変更
【補正の内容】
【００４０】図３は、情報記録装置２００内に保持している情報の内容である。当該機器個有の属性情報と情報収集活動に関するフレーム情報に大別される。
機器属性情報は、当該機器自体を管理するために必要な情報であり、当該機器を操作する操作者に関する情報も設定されている。
特に生体認証情報は、当該機器を操作する者が正当に認定された人物であるか否かを識別するために設定されている。生体認証の手法としては、指紋あるいは手の平静脈を利用するものがある。
【手続補正１６】
【補正対象書類名】明細書
【補正対象項目名】００４４
【補正方法】変更
【補正の内容】
【００４４】操作者が情報収集活動を開始するにあたり、携帯する情報記録装置２００の電源スイッチ２０３をＯＮにし情報記録装置２００を解錠する事前操作が必要で生体認証の手続を行う。該情報記録装置２００を操作する操作者は、自己の生体の一部（指先・手の平など）を生体センサー部２５１にかざすことにより画像として読み込まれ、生体認証処理部２５２において予め登録されている生体画像と比較検証後に適正な操作者か否かを識別され解錠または否解錠と判定される。
【手続補正１７】
【補正対象書類名】明細書
【補正対象項目名】００６９
【補正方法】変更
【補正の内容】
【００６９】収集報告画像のフレームは、操作者の状況判断により追加収集することができる。状況判断の基準は予め情報管理センター１００にて規定されている。
【手続補正１９】
【補正対象書類名】図面
【補正対象項目名】全図
【補正方法】変更
【補正の内容】
【図１】
2018129560.tif 000009
【図２】
2018129560.tif 000010
【図３】
2018129560.tif 000011
【図４】
2018129560.tif 000012
【図５】
2018129560.tif 000013
【図６】
2018129560.tif 000014